(57)【要約】【課題】カードホルダーにおいて、厚みが種々に異なるカードでも確実に抜止やガタツキ防止を図れ、またカードに傷を付けることも無いようにする。【解決手段】カード５を差込可能なカード差し溝６が上向き且つ左右に通り抜けて形成されたホルダー本体２と、このホルダー本体２に対してカード差し溝６内を横切るようにして螺合されるネジ部材３とを有しているので、ホルダー本体２のカード差し溝６に差し込まれたカードの厚みに合わせてネジ部材３の螺合度合いを任意に調整することができる。【選択図】図１
0003134508.tif 000002
【実用新案登録請求の範囲】
【請求項１】
カード（５）を差込可能なカード差し溝（６）が上向き且つ左右に通り抜けて形成されたホルダー本体（２）と、このホルダー本体（２）に対して上記カード差し溝（６）内へ突出するようにして螺合されるネジ部材（３）とを有していることを特徴とするカードホルダー。
【請求項２】
前記ホルダー本体（２）には、カード差し溝（６）内へ突出したネジ部材（３）の先端部（３ａ）に対向してカード差し溝（６）内の対壁を凹ます状態に形成された撓み受け部（１１）が設けられていることを特徴とする請求項１記載のカードホルダー。
【請求項３】
前記ホルダー本体（２）に設けられたカード差し溝（６）は、溝底から上向きの開口へ向けて傾斜して形成されていることを特徴とする請求項１又は請求項２記載のカードホルダー。
【請求項４】
前記ホルダー本体（２）には、ペン（７）の先端部を差し込んでペン（７）を起立状態に保持可能にしたペン差し孔（８）が設けられていることを特徴とする請求項１乃至請求項３のいずれか１項に記載のカードホルダー。
【考案の詳細な説明】
【技術分野】
【０００１】
本考案は、カードホルダーに関するものである。
【背景技術】
【０００２】
写真やポストカードなどのカードを立てた状態に保持させるためのカードホルダーは周知であり、この種のカードホルダーとして、カードを差込可能なカード差し溝が上向き且つ左右に通り抜けて形成されたものがある（例えば特許文献１等参照）。
写真やポストカードなどのカードには種々の厚み違いが存在するが、従来のカードホルダーでは、カード差し溝の形成部分（溝幅を決める壁部分）をゴム等の弾性材で形成することで、差し込んだカードに挟持圧を付与できるようにして、カードの抜止やガタツキ防止を図っていた。
【０００３】
なお、上記とは別種のカードホルダーとして、カード差し溝を形成させる代わりに、バネ付きのクリップ構造を採用してカードを挟持させるようにしたものもあった。
【特許文献１】特開平１１−２９０５００号公報
【考案の開示】
【考案が解決しようとする課題】
【０００４】
従来のカードホルダーでは、厚みが種々に異なるカードに対応させるため、上記したような工夫がされたものもあったが、抜止策やガタツキ防止策として効果が十分でなかったり、反対に効果が強すぎてカードに傷を付けてしまったり、といった問題が出ていた。
本考案は、上記事情に鑑みてなされたものであって、厚みが種々に異なるカードでも抜止やガタツキ防止が確実に得られ、且つカードに傷を付けるおそれもないカードホルダーを提供することを目的とする。
【課題を解決するための手段】
【０００５】
前記目的を達成するために、本考案は次の手段を講じた。
即ち、本考案に係るカードホルダーでは、カードを差込可能なカード差し溝が上向き且つ左右に通り抜けて形成されたホルダー本体と、このホルダー本体に対して上記カード差し溝内へ突出するようにして螺合されるネジ部材とを有している。
このような構成であると、ホルダー本体のカード差し溝に差し込まれたカードの厚みに合わせてネジ部材の螺合度合いを任意に調整するといったことができるので、厚みが種々に異なるカードでも抜止やガタツキ防止が確実に行え、且つカードに傷を付けるおそれもない。
【０００６】
ホルダー本体には、カード差し溝内へ突出したネジ部材の先端部に対向させて、カード差し溝内の対壁を凹ます状態に形成した撓み受け部を設けるのが好適である。
このような撓み受け部を設けておくことで、ネジ部材の先端部とカード差し溝の対壁との間でカードを強く圧接することを防止できる。すなわち、ネジ部材の先端部でカードを押圧したときも、カードの裏面に撓み受け部による凹部空間を形成保持できることになり、結果、カードを弾力的に押圧できることになる。このことで、カードに対して傷を付けることを徹底して防止できることになる。
【０００７】
ホルダー本体に設けるカード差し溝は、溝底から上向きの開口へ向けて傾斜して形成することもできる。
このようにすると、カードを斜めに傾けて起立保持できるようになるので、カードを見やすく演出できるようになる。
ホルダー本体には、ペンの先端部を差し込んでペンを起立状態に保持可能にしたペン差し孔を設けることもできる。
このようにすると、カードと一緒にペンも起立保持できるので、カードとしてメモ紙を選択することができ、これによって例えば電話横や机上でのメモ書きセットとして構成できることになる。
【考案の効果】
【０００８】
本考案に係るカードホルダーでは、厚みが種々に異なるカードでも確実に抜止やガタツキ防止を図れ、またカードに傷を付けることも無いようにできる。
【考案を実施するための最良の形態】
【０００９】
以下、本考案の実施の形態を、図面に基づき説明する。
図１乃至図３は、本考案に係るカードホルダー１の第１実施形態を示している。このカードホルダー１では、ホルダー本体２と、このホルダー本体２に対して螺合されるネジ部材３とを有している。
ホルダー本体２には、写真やポストカードなどのカード５を差込可能なカード差し溝６と、鉛筆やシャープペン、サインペンなどのペン７を起立状態に保持可能にしたペン差し孔８とが形成されている。またネジ部３は、外周面に雄ねじが刻設されたネジ先端部３ａとその根本側に設けられたネジ頭部３ｂとを有している。
【００１０】
ホルダー本体２は、起立保持させようとするカード５の大きさ（四つ切りの写真大や葉書大、或いはＡ５用紙大等の複数種のものを想定させておけばよい）に合わせて、カード５の起立保持に適し且つ大きすぎない（机上での作業に邪魔にならない）範囲で適宜選択されている。また材質や外形状も、カード５を起立させることに影響しない範囲で何ら限定されない。
例えば本第１実施形態では正六角柱を横に寝かせた形状を採用し、そのうちの一面を底面２ａとして、転がり難い状態で横置きできるものとしてある。また、真鍮などの金属によって形成されていて、十分な重量で安定したカード５の起立保持ができるようになっている。
【００１１】
カード差し溝６が設けられた位置は、ホルダー本体２の長手方向一端部２ｃに近接した位置とされている。またこのカード差し溝６は、ホルダー本体２においてその底面２ａを基準とするとき、これとは上下逆向きとなる面２ｂで開放され（即ち上向きに開放されている）、また底面２ａに平行する方向でこのホルダー本体２の短手方向を貫通する（即ち左右に通り抜ける）ように形成されている。
ホルダー本体２において、カード差し溝６の形成位置に近い端部２ｃには、ホルダー本体２の長手方向に沿ってネジ孔１０が形成されており、このネジ孔１０はカード差し溝６内に貫通するようになっている。またカード差し溝６を通り越した位置には、ネジ孔１０の下孔を形成させた工具（エンドミル又はドリル）をそのまま突き当てるようにして穿孔形成した撓み受部１１が設けられている。
【００１２】
この撓み受部１１は、ネジ孔１０に対して上記ネジ部材３を螺合させた場合に、カード差し溝６内へ突出するようになったネジ部材３の先端部３ａと対応（対向）するようにして凹設されたものとなる。
ペン差し孔８が設けられた位置は、ホルダー本体２の長手方向であって且つ上記したカード差し溝６の形成位置とは遠い方の端部２ｄに近接した位置とされている。このペン差し孔８はペン７の先端部を差し込み可能とされたものである。
一方、本第１実施形態においてネジ部材３は、ホルダー本体２が正六角柱を横に寝かせた形状とされていることに対応して、ボルト頭部３ｂが正六角形の盤体に形成されている。また先端部３ａには、カード差し溝６内を横切るようになる部分をストレート状に形成させたカード押し端３ｃが形成されている。このカード押し端３ｃは、先端部３ａにおいて雄ねじが刻設された部分よりも一回り径小に形成されている。
【００１３】
このような構成を具備した本考案のカードホルダー１では、ホルダー本体２のカード差し溝６に差し込まれたカード５の厚みに合わせてネジ部材３の螺合度合いを任意に調整するといったことができるので、厚みが種々に異なるカード５でも抜止やガタツキ防止が確実に行え、且つカード５に傷を付けるおそれもない。
またホルダー本体２には撓み受け部１１が形成されているので、ネジ部材３の先端部３ａでカード５を押圧したときも、カード５の裏面には撓み受け部１１による凹部空間を形成保持できることになり、結果、カード５を弾力的に押圧できることになる。従って、ネジ部材３の先端部３ａとカード差し溝６の対壁との間でカード５を強く圧接（挟持）してしまうようなことはなく、カード５に傷が付くことは、徹底して防止される。
【００１４】
例えば本第１実施形態では、ホルダー本体２及びネジ部材３のネジ頭部３ｂをいずれも正六角形としているので、安定した載置状態を得るためには、ネジ部材３を螺合させたときにホルダー本体２とネジ部材３（ネジ頭部３ｂ）とが互いの正六角形を一致させるような状態とさせる必要がある。しかも、この状態でネジ部材３の先端部３ａがカード５を確実に押圧している必要がある。
もしも、ホルダー本体２に撓み受部１１を設けていないと、カード５の厚さが種々に異なることを想定した場合、上記したような二つの必要条件を同時に満足させることは非常に難しくなるため、結果として、カード５の起立保持状態として抜止が不十分であったりガタツキが生じたりするおそれや、反対に、過度圧接（挟持）によってカード５に傷を付けてしまったりするおそれが発生する。
【００１５】
撓み受部１１の形成は、このような不具合を回避するうえで極めて有効と言えるのである。
なお、ネジ部材３の先端部３ａに設けられたカード押し端３ｃは、先端部３ａにおける雄ねじが刻設された部分よりも径小であるのに対し、撓み受け部１１の内径はネジ孔１０の下孔径と同じである（即ち、先端部３ａの外径より若干径小な程度となっている）。そのため、ネジ部材３の先端部３ａ（カード押し端３ｃ）が撓み受け部１１内へ入り込んだとしても、カード押し端３ｃの外周面と撓み受け部１１の内周面との間には周隙間が生じる寸法関係となっている。
【００１６】
このことは、ネジ部材３の先端部３ａでカード５を押圧したときに、撓み受け部１１の開口縁部で剪断作用が生じることはない、ということを意味している。そのため、万が一、ネジ部材３を過度に螺合したとしても、カード５に対し撓み受け部１１によるパンチ孔を形成させてしまうといった問題は生じないのである。
一方、本第１実施形態のカードホルダー１ではペン差し孔８を具備しているので、必要に応じてペン差し孔８へペン７を起立保持させることができ、カード５にメモを取るような使いかたも可能となり至便である。ホルダー本体２をペーパーウエイトとして使用するといった便利な使い方もできる。
【００１７】
なお、ホルダー本体２には、使用状態で上向きとなる面２ｂなどに刻印や印刷、塗装、漆塗りなどにより文字、絵、模様、表面被膜などを施すことができ、見栄えの向上を図ったり、贈答品や記念品などとしての利用価値を高めたりすることも可能となる。
図４及び図５は、本考案に係るカードホルダー１の第２実施形態を示している。この第２実施形態のカードホルダー１が上記した第１実施形態のものと最も異なるところは、ホルダー本体２に設けられたカード差し溝６が、溝底から上向きの開口へ向けて傾斜して形成されている点にある。その他の構成は略同じである。
【００１８】
このようにすると、カード５を斜めに傾けて起立保持できるようになるので、カード５を見やすく演出できるようになる。なお、本第２実施形態では、カード５を斜めに傾けて起立保持させることに伴い、カード５への視線の邪魔となるのを防止するため、ホルダー本体２に対してペン差し孔８を設けないものとした。
ところで、ホルダー本体２の形状は何ら限定されるものではなく、第１、第２実施形態では正面視形状が正六角柱を呈したものとしたが、三角形や四角形、或いは五角形以上の多角形、円形の外周の一部を掻き取った形状（半円形等）、楕円形など、種々の形状を採用可能である。
【００１９】
またネジ部材３についても、例えば図６に示すように、ネジ頭部３ｂにリング形を採用することをはじめとして、円盤形、丸棒形、蝶（羽根）形などを採用することが適宜選択できる。
図７及び図８は、本考案に係るカードホルダー１の第３実施形態を示している。この第３実施形態のカードホルダー１は、短円柱形をしたもので、底面２ａ及び上向きとなる面２ｂが円形に形成されている。そしてこの円形をした上向きの面２ｂに対して、直径方向を横切るように上向き開放されたカード差し溝６が形成され、外周の周面から、このカード差し溝６へ向けてネジ部材３が螺合されるようになっている。
【００２０】
またホルダー本体２には、カード差し溝６内へ突出したネジ部材３の先端部３ａに対向するようにして撓み受け部１１が設けられている。
この第３実施形態でも、スペース的及び載置バランス的な観点から、ホルダー本体２に対してペン差し孔８を設けないものとしてある。ただ、底面２ａ及び上向きとなる面２ｂを径大に形成する場合には、上向きとなる面２ｂ等（外周面又は上周縁部でもよい）にペン差し孔８を設けることも可能である。
なお、この第３実施形態に関しても、底面２ａ及び上向きとなる面２ｂとして、三角形や四角形、或いは五角形以上の多角形、円形の外周の一部を掻き取った形状（半円形等）、楕円形など、種々の形状を採用可能である。
【００２１】
また、底面２ａから上向きとなる面２ｂへ向けて徐々に絞られるような錘形や錘台形など（円錐や三角錐、或いは四角錘台等）としてもよいし、底面２ａを円形とする場合にはその上側が半球状に膨らんだ形状を採用することもできる。
ところで、本考案は、上記各実施形態に限定されるものではなく、実施の形態に応じて適宜変更可能である。
【図面の簡単な説明】
【００２２】
【図１】本考案に係るカードホルダーの第１実施形態を示した斜視図である。
【図２】第１実施形態のカードホルダーを示す平面図である。
【図３】図１に対応する一部破砕側面図である。
【図４】本考案に係るカードホルダーの第２実施形態を示した斜視図である。
【図５】第２実施形態のカードホルダーを示す一部破砕側面図である。
【図６】ネジ部材の別実施形態を示した側面図である。
【図７】本考案に係るカードホルダーの第３実施形態を示した斜視図である。
【図８】第３実施形態のカードホルダーを示す側断面図である。
【符号の説明】
【００２３】
１    カードホルダー
２    ホルダー本体
３    ネジ部材
３ａ    先端部
５    カード
６    カード差し溝
７    ペン
８    ペン差し孔
１１    撓み受け部
【図１】
0003134508.tif 000003
【図２】
0003134508.tif 000004
【図３】
0003134508.tif 000005
【図４】
0003134508.tif 000006
【図５】
0003134508.tif 000007
【図６】
0003134508.tif 000008
【図７】
0003134508.tif 000009
【図８】
0003134508.tif 000010